(57)【要約】風路組立品１００は、渦巻形ケーシング１０と、渦巻形ケーシング１０内に設けられて、渦巻形ケーシング１０と吸気口７１及び送風口７３を有する風路７０を形成する渦巻舌３０と、風路７０内に設置され、気流を吸気口７１から風路７０内に取り入れて、風路７０内の気流を送風口７３から吹き出す貫流ファン５０と、を含み、渦巻形ケーシング１０は第一渦巻舌部１１を含み、渦巻舌３０は第二渦巻舌部３１を含み、第一渦巻舌部１１と第二渦巻舌部３１とはそれぞれ吸気口７１の両側に位置し、同一の横断面において、第一渦巻舌部１１の根元Ｍから貫流ファン５０の軸心Ｏまでの連結線と第二渦巻舌部３１の根元Ｎから貫流ファン５０の軸心Ｏまでの連結線との挟角Ａの大きさは１１０°〜１７０°である。また、当該風路組立品１００を応用した温風機をさらに開示する。【選択図】図４
2020521936.tif 000002
【特許請求の範囲】
【請求項１】
温風機に応用される風路組立品であって、
渦巻形ケーシングと、
前記渦巻形ケーシングに設けられて、前記渦巻形ケーシングと吸気口及び送風口を有する風路を形成する渦巻舌と、
前記風路内に設置され、気流を前記吸気口から前記風路内に取り入れて、前記風路内の気流を前記送風口から吹き出す貫流ファンと、を含み、
前記渦巻形ケーシングは第一渦巻舌部を含み、前記渦巻舌は第二渦巻舌部を含み、前記第一渦巻舌部と前記第二渦巻舌部とはそれぞれ前記吸気口の両側に位置し、同一の横断面において、前記第一渦巻舌部の根元Ｍから前記貫流ファンの軸心Ｏまでの連結線と前記第二渦巻舌部の根元Ｎから前記貫流ファンの軸心Ｏまでの連結線との挟角Ａの大きさは１１０°〜１７０°であることを特徴とする風路組立品。
【請求項２】
前記第一渦巻舌部と前記貫流ファンとの間の最小間隔Ｂは２ｍｍ〜４ｍｍであることを特徴とする請求項１に記載の風路組立品。
【請求項３】
前記第二渦巻舌部と前記貫流ファンとの間の最小間隔Ｃは２ｍｍ〜４ｍｍであることを特徴とする請求項１に記載の風路組立品。
【請求項４】
前記渦巻形ケーシングはさらに前記第一渦巻舌部に沿って前記送風口に向かって延びている第一導風板を含み、前記第一導風板は前記送風口に近い端及び前記送風口から遠い端の両端を有し、前記第一導風板にはその両端の間に前記風路に向かう突起部が形成されていることを特徴とする請求項１に記載の風路組立品。
【請求項５】
前記突起部は前記第一導風板の前記送風口に近い一端に設けられ、前記第二渦巻舌部の根元Ｎから前記突起部までの距離Ｄは前記第二渦巻舌部の根元Ｎから前記第一導風板上の何れか一点までの距離の中で最短であることを特徴とする請求項４に記載の風路組立品。
【請求項６】
前記第二渦巻舌部の根元Ｎから前記突起部までの距離Ｄと前記送風口の幅Ｅとの比は１：（２〜２．５）であることを特徴とする請求項５に記載の風路組立品。
【請求項７】
前記第二渦巻舌部の根元Ｎから前記突起部までの距離Ｄは１８ｍｍ〜３０ｍｍであることを特徴とする請求項６に記載の風路組立品。
【請求項８】
前記渦巻舌はさらに前記第二渦巻舌部に沿って前記送風口に向かって延びている第二導風板を含み、前記第一導風板の前記風路の外に位置する表面及び／又は前記第二導風板の前記風路の外に位置する表面にはワイヤクリップが設置されていることを特徴とする請求項４に記載の風路組立品。
【請求項９】
前記渦巻形ケーシングは前記貫流ファンの軸線方向に沿って設置されている両端部を有し、両端部にはそれぞれ取付孔が設置され、前記渦巻舌の対応する箇所には取付柱が設置されて、前記取付柱は前記取付孔内に挿設されていることを特徴とする請求項１に記載の風路組立品。
【請求項１０】
筐体と前記筐体内に設置されている風路組立品とを含み、前記風路組立品は請求項１に記載の風路組立品であることを特徴とする温風機。
【請求項１１】
前記風路組立品の渦巻形ケーシング及び／又は渦巻舌には位置決めタブが設けられ、前記位置決めタブには位置決め孔が設けられ、前記温風機の筐体には位置決め柱が設けられ、前記位置決め柱は前記位置決め孔内に挿設されていることを特徴とする請求項１０に記載の温風機。
【請求項１２】
前記風路組立品の渦巻形ケーシングには固定柱が設けられ、前記固定柱は前記温風機の筐体に向かって延設されて、前記温風機の筐体に固定して接続されていることを特徴とする請求項１０に記載の温風機。
【請求項１３】
前記第一渦巻舌部と前記貫流ファンとの間の最小間隔Ｂは２ｍｍ〜４ｍｍであることを特徴とする請求項１０に記載の温風機。
【請求項１４】
前記第二渦巻舌部と前記貫流ファンとの間の最小間隔Ｃは２ｍｍ〜４ｍｍであることを特徴とする請求項１０に記載の温風機。
【請求項１５】
前記渦巻形ケーシングはさらに前記第一渦巻舌部に沿って前記送風口に向かって延びている第一導風板を含み、前記第一導風板は前記送風口に近い端及び前記送風口から遠い端の両端を有し、前記第一導風板にはその両端の間に前記風路に向かう突起部が形成されていることを特徴とする請求項１０に記載の温風機。
【請求項１６】
前記突起部は前記第一導風板の前記送風口に近い一端に設けられ、前記第二渦巻舌部の根元Ｎから前記突起部までの距離Ｄは前記第二渦巻舌部の根元Ｎから前記第一導風板上の何れか一点までの距離の中で最短であることを特徴とする請求項１５に記載の温風機。
【請求項１７】
前記第二渦巻舌部の根元Ｎから前記突起部までの距離Ｄと前記送風口の幅Ｅとの比は１：（２〜２．５）であることを特徴とする請求項１６に記載の温風機。
【請求項１８】
前記第二渦巻舌部の根元Ｎから前記突起部までの距離Ｄは１８ｍｍ〜３０ｍｍであることを特徴とする請求項１７に記載の温風機。
【請求項１９】
前記渦巻舌はさらに前記第二渦巻舌部に沿って前記送風口に向かって延びている第二導風板を含み、前記第一導風板の前記風路の外に位置する表面及び／又は前記第二導風板の前記風路の外に位置する表面にはワイヤクリップが設置されていることを特徴とする請求項１５に記載の温風機。
【請求項２０】
前記渦巻形ケーシングは前記貫流ファンの軸線方向に沿って設置されている両端部を有し、両端部にはそれぞれ取付孔が設置され、前記渦巻舌の対応する箇所には取付柱が設置されて、前記取付柱は前記取付孔内に挿設されていることを特徴とする請求項１０に記載の温風機。
【発明の詳細な説明】
【技術分野】
【０００１】
本願は温風機の技術分野に関し、特に風路組立品と当該風路組立品が応用される温風機に関する。
【背景技術】
【０００２】
現在では、新型の採暖設備として、温風機はその使用が便利、操作が簡単である等の長所で広く使われるようになっている。しかし、従来の温風機の運転時の風量は通常では低く、消費者の日増しに増えつつある使用需要には応えられない。
【発明の概要】
【発明が解決しようとする課題】
【０００３】
本発明の主な目的は、温風機の送風風量を向上させるための風路組立品を提供することである。
【課題を解決するための手段】
【０００４】
上記目的を達成するために、本発明が提案する風路組立品は温風機に応用され、渦巻形ケーシングと、前記渦巻形ケーシングに設けられ、前記渦巻形ケーシングと吸気口及び送風口を有する風路を形成する渦巻舌と、前記風路内に設置され、気流を前記吸気口から前記風路内に取り入れて、前記風路内の気流を前記送風口から吹き出す貫流ファンと、を含み、前記渦巻形ケーシングは第一渦巻舌部を含み、前記渦巻舌は第二渦巻舌部を含み、前記第一渦巻舌部と前記第二渦巻舌部とはそれぞれ前記吸気口の両側に位置し、同一の横断面において、前記第一渦巻舌部の根元Ｍから前記貫流ファンの軸心Ｏまでの連結線と前記第二渦巻舌部の根元Ｎから前記貫流ファンの軸心Ｏまでの連結線との挟角Ａの大きさは１１０°〜１７０°である。
【０００５】
好ましくは、前記第一渦巻舌部と前記貫流ファンとの間の最小間隔Ｂは２ｍｍ〜４ｍｍである。
【０００６】
好ましくは、前記第二渦巻舌部と前記貫流ファンとの間の最小間隔Ｃは２ｍｍ〜４ｍｍである。
【０００７】
好ましくは、前記渦巻形ケーシングはさらに前記第一渦巻舌部に沿って前記送風口に向かって延びている第一導風板を含み、前記第一導風板は前記送風口に近い端及び前記送風口から遠い端の両端を有し、前記第一導風板にはその両端の間に前記風路に向かう突起部が形成されている。
【０００８】
好ましくは、前記突起部は前記第一導風板の前記送風口に近い一端に設けられ、前記第二渦巻舌部の根元Ｎから前記突起部までの距離Ｄは前記第二渦巻舌部の根元Ｎから前記第一導風板上の何れか一点までの距離の中で最短である。
【０００９】
好ましくは、前記第二渦巻舌部の根元Ｎから前記突起部までの距離Ｄと前記送風口の幅Ｅとの比は１：（２〜２．５）である。
【００１０】
好ましくは、前記第二渦巻舌部の根元Ｎから前記突起部までの距離Ｄは１８ｍｍ〜３０ｍｍである。
【００１１】
好ましくは、前記渦巻舌はさらに前記第二渦巻舌部に沿って前記送風口に向かって延びている第二導風板を含み、前記第一導風板の前記風路の外に位置する表面及び／又は前記第二導風板の前記風路の外に位置する表面にはワイヤクリップが設置されている。
【００１２】
好ましくは、前記渦巻形ケーシングは前記貫流ファンの軸線方向に沿って設置されている両端部を有し、両端部にはそれぞれ取付孔が設置され、前記渦巻舌の対応する箇所には取付柱が設置されて、前記取付柱は前記取付孔内に挿設されている。
【００１３】
本発明はさらに温風機を提案する。前記温風機は筐体と前記筐体内に設置されている風路組立品とを含み、前記風路組立品は温風機に応用され、渦巻形ケーシングと、前記渦巻形ケーシングに設けられて、前記渦巻形ケーシングと吸気口及び送風口を有する風路を形成する渦巻舌と、前記風路内に設置され、気流を前記吸気口から前記風路内に取り入れて、前記風路内の気流を前記送風口から吹き出す貫流ファンと、を含み、前記渦巻形ケーシングは第一渦巻舌部を含み、前記渦巻舌は第二渦巻舌部を含み、前記第一渦巻舌部と前記第二渦巻舌部とはそれぞれ前記吸気口の両側に位置し、同一の横断面において、前記第一渦巻舌部の根元Ｍから前記貫流ファンの軸心Ｏまでの連結線と前記第二渦巻舌部の根元Ｎから前記貫流ファンの軸心Ｏまでの連結線との挟角Ａの大きさは１１０°〜１７０°である。
【００１４】
好ましくは、前記風路組立品の渦巻形ケーシング及び／又は渦巻舌には位置決めタブが設けられ、前記位置決めタブには位置決め孔が設けられ、前記温風機の筐体には位置決め柱が設けられ、前記位置決め柱は前記位置決め孔内に挿設されている。
【００１５】
好ましくは、前記風路組立品の渦巻形ケーシングには固定柱が設けられ、前記固定柱は前記温風機の筐体に向かって延設されて、前記温風機の筐体に固定して接続されている。
【００１６】
好ましくは、前記第一渦巻舌部と前記貫流ファンとの間の最小間隔Ｂは２ｍｍ〜４ｍｍである。
【００１７】
好ましくは、前記第二渦巻舌部と前記貫流ファンとの間の最小間隔Ｃは２ｍｍ〜４ｍｍである。
【００１８】
好ましくは、前記渦巻形ケーシングはさらに前記第一渦巻舌部に沿って前記送風口に向かって延びている第一導風板を含み、前記第一導風板は前記送風口に近い端及び前記送風口から遠い端の両端を有し、前記第一導風板にはその両端の間に前記風路に向かう突起部が形成されている。
【００１９】
好ましくは、前記突起部は前記第一導風板の前記送風口に近い一端に設けられ、前記第二渦巻舌部の根元Ｎから前記突起部までの距離Ｄは前記第二渦巻舌部の根元Ｎから前記第一導風板上の何れか一点までの距離の中で最短である。
【００２０】
好ましくは、前記第二渦巻舌部の根元Ｎから前記突起部までの距離Ｄと前記送風口の幅Ｅとの比は１：（２〜２．５）である。
【００２１】
好ましくは、前記第二渦巻舌部の根元Ｎから前記突起部までの距離Ｄは１８ｍｍ〜３０ｍｍである。
【００２２】
好ましくは、前記渦巻舌はさらに前記第二渦巻舌部に沿って前記送風口に向かって延びている第二導風板を含み、前記第一導風板の前記風路の外に位置する表面及び／又は前記第二導風板の前記風路の外に位置する表面にはワイヤクリップが設置されている。
【００２３】
好ましくは、前記渦巻形ケーシングは前記貫流ファンの軸線方向に沿って設置されている両端部を有し、両端部にはそれぞれ取付孔が設置され、前記渦巻舌の対応する箇所には取付柱が設置されて、前記取付柱は前記取付孔内に挿設されている。
【００２４】
本発明の技術案によれば、第一渦巻舌部の根元Ｍから貫流ファンの軸心Ｏまでの連結線と第二渦巻舌部の根元Ｎから貫流ファンの軸心Ｏまでの連結線との挟角Ａの大きさを１１０°〜１７０°の間にすることで、風路の構造を最適化して、二つの渦巻舌部の隙間による送風漏れを減少させ、送風漏れの流動状態を改善して、送風漏れの貫流ファンに対する衝撃効果を低減する。これにより、貫流ファン吸気側のブレード通路における吸気条件及び貫流ファンの内部流れ環境を効果的に改善して、貫流ファン内部の偏心渦巻のスケールを小さくして、偏心渦巻が小さく、丸く、且つ貫流ファンの内縁部に近くなるように、偏心渦巻の形状及び位置を改善し、さらには貫流ファン内部の有効流通面積を増大させ、貫流ファンの内部流れ環境を更に安定させて、風量を向上させる。
【図面の簡単な説明】
【００２５】
本発明の実施例及び従来技術の技術案をより明確に説明するため、以下では、実施例或いは従来技術の説明に必要とされる添付図面を簡単に紹介する。下記説明における添付図面は本発明の一部の実施例に過ぎないことは明らかであって、当業者にとって、創造的な労働を行わないことを前提に、これらの添付図面が示す構造により他の添付図面を得ることができる。
【図１】本発明の風路組立品の一実施例の構造模式図である。
【図２】図１における風路組立品の分解図である。
【図３】図１における風路組立品の別の角度から見た分解図である。
【図４】図１における風路組立品の横断面模式図である。
【図５】図２のＶでの拡大構造模式図である。
【図６】図３のＷでの拡大構造模式図である。
【図７】図３のＸでの拡大構造模式図である。
【図８】図２のＹでの拡大構造模式図である。
【図９】図２のＺでの拡大構造模式図である。添付図面を参照して、実施例と組み合わせて本発明の目的の実現、機能特徴及び長所をさらに説明する。
【発明を実施するための形態】
【００２６】
以下では、本発明の実施例における添付図面と組み合わせ、本発明の実施例における技術案を明確且つ完全に説明する。説明される実施例は本発明の全ての実施例ではなく、本願の一部の実施例に過ぎないことは明らかである。本発明における実施例に基づいて、当業者が創造的な労働を行わないことを前提に得られた全ての他の実施例は、本発明の保護する範囲に属す。
【００２７】
本発明の実施例での全ての方向性指示（例えば上、下、左、右、前、後．．．）は、ある特定の姿勢（添付図面に示す）における各部品間の相対的位置関係、運動状況等を説明するためだけに用いられ、もし当該特定の姿勢が変わる場合、当該方向性指示も相応に変わることは説明すべきである。
【００２８】
また、本発明の実施例において「第一」、「第二」等の説明は説明のために利用されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。本発明の説明では、別途明確で具体的な限定がない限り、「複数」とは少なくとも二つ、例えば二つ、三つ等を意味する。
【００２９】
本発明において、別途明確な規定や限定がない限り、「接続」、「固定」などの用語は広義に理解されるべきである。例えば、「固定」は固定的な接続でもよく、取り外し可能な接続でもよく、或いは一体としてもよい。機械的な接続でもよく、電気的な接続でもよい。直接つながってもよく、中間にある媒介によって間接的につながってもよく、二つの素子内部の連通或いは二つの素子の相互作用関係であってもよい。当業者にとって、具体的な状況により上記用語の本発明における具体的な意味を理解できる。
【００３０】
また、本発明の各実施例の技術案はお互いに組み合わせることができる。ただし、当業者が実現できることはその基礎である。技術案の組み合わせに矛盾が生じるか、実現できない場合には、このような技術案の組み合わせが存在せず、且つ本発明が請求する保護範囲にないと理解すべきである。
【００３１】
本発明は温風機（図示しない）に応用される風路組立品１００を提案する。
【００３２】
図１から図４に示すように、本発明の風路組立品１００の一実施例において、前記風路組立品１００は、渦巻形ケーシング１０と、前記渦巻形ケーシング１０に設けられ、前記渦巻形ケーシング１０と吸気口７１及び送風口７３を有する風路７０を形成する渦巻舌３０と、前記風路７０内に設置され、気流を前記吸気口７１から前記風路７０内に取り入れて、前記風路７０内の気流を前記送風口７３から吹き出す貫流ファン５０と、を含み、前記渦巻形ケーシング１０は第一渦巻舌部１１を含み、前記渦巻舌３０は第二渦巻舌部３１を含み、前記第一渦巻舌部１１と前記第二渦巻舌部３１はそれぞれ前記吸気口７１の両側に位置し、同一の横断面において、前記第一渦巻舌部１１の根元Ｍから前記貫流ファン５０の軸心Ｏまでの連結線と前記第二渦巻舌部３１の根元Ｎから前記貫流ファン５０の軸心Ｏまでの連結線との挟角Ａの大きさは１１０°〜１７０°である。
【００３３】
以下、温風機の水平配置を例に取って説明する。
【００３４】
具体的に、渦巻形ケーシング１０は第一渦巻舌部１１、第一導風板１３、及び対向して設置されている二つの第一固定板１５を含み、第一導風板１３は第一渦巻舌部１１と接続されて且つ第一渦巻舌部１１に沿って風路７０の送風口７３に向かって延設され、二つの第一固定板１５は貫流ファン５０の軸線方向に沿って配置されて且つ対向して設置され、第一渦巻舌部１１と第一導風板１３は二つの第一固定板１５の間に固定して設置されている。
【００３５】
渦巻舌３０は第二渦巻舌部３１、第二導風板３３、及び対向して設置されている二つの第二固定板３５を含み、第二導風板３３は第二渦巻舌部３１と接続されて且つ第二渦巻舌部３１に沿って風路７０の送風口７３に向かって延設され、二つの第二固定板３５は貫流ファン５０の軸線方向に沿って配置されて且つ対向して設置され、第二渦巻舌部３１と第二導風板３３は二つの第二固定板３５の間に固定して設置されている。一つの第二固定板３５と一つの第一固定板１５が固定して接続されることにより、渦巻舌３０と渦巻形ケーシング１０との固定接続を実現する。
【００３６】
本発明の技術案によれば、第一渦巻舌部１１の根元Ｍから貫流ファン５０の軸心Ｏまでの連結線と第二渦巻舌部３１の根元Ｎから貫流ファン５０の軸心Ｏまでの連結線との挟角Ａの大きさを１１０°〜１７０°の間にすることで、風路７０の構造を最適化して、二つの渦巻舌部の隙間による送風漏れを減少させ、送風漏れの流動状態を改善して、送風漏れの貫流ファン５０に対する衝撃効果を低減する。これにより、貫流ファン５０吸気側のブレード通路における吸気条件及び貫流ファン５０の内部流れ環境を効果的に改善して、貫流ファン５０内部の偏心渦巻のスケールを小さくして、偏心渦巻が小さく、丸く、且つ貫流ファン５０の内縁部に近くなるように、偏心渦巻の形状及び位置を改善し、さらには貫流ファン５０内部の有効流通面積を増大させ、貫流ファン５０の内部流れ環境を更に安定させて、風量を向上させる。
【００３７】
渦巻形ケーシング１０と渦巻舌３０は何れもプラスチック材で射出成形方法により得られ、または何れも金属材料で製造できることは、説明しておく必要がある。
【００３８】
図４に示すように、前記第一渦巻舌部１１と前記貫流ファン５０との間の最小間隔Ｂは２ｍｍ〜４ｍｍである。このように、渦巻形ケーシング１０の構造、風路７０の構造を最適化して、第一渦巻舌部１１と貫流ファン５０との間の送風漏れを減少して、貫流ファン５０の内部流れ環境を改善し、偏心渦巻の状態を改善することで、風圧を高める。これとともに、送風漏れの減少は貫流ファン５０に対する衝撃効果をも低減し、騒音を低減できる。
【００３９】
図４に示すように、前記第二渦巻舌部３１と前記貫流ファン５０との間の最小間隔Ｃは２ｍｍ〜４ｍｍである。このように、渦巻舌３０の構造、風路７０の構造を最適化して、第二渦巻舌部３１と貫流ファン５０との間の送風漏れを減少して、貫流ファン５０の内部流れ環境を改善し、偏心渦巻の状態を改善することで、風圧を高める。これとともに、送風漏れの減少は貫流ファン５０に対する衝撃効果をも低減し、騒音を低減できる。
【００４０】
図４に示すように、前記第一導風板１３は前記送風口７３に近い端及び前記送風口７３から遠い端の両端を有し、前記第一導風板１３はその両端の間に前記風路７０に向かう突起部１３１が形成されている。
【００４１】
突起部１３１の設置により、風路７０内部の流れ環境を改善でき、これにより風路７０内部の気流が突起部１３１を通る時、ネッキング効果により、気流の風圧と流速はともに向上できる。
【００４２】
さらに、前記突起部１３１は前記第一導風板１３の前記送風口７３に近い一端に設けられ、前記第二渦巻舌部３１の根元Ｎから前記突起部１３１までの距離Ｄは前記第二渦巻舌部３１の根元Ｎから前記第一導風板１３上の何れか一点までの距離の中で最短である。このように、ネッキング効果を効果的に強化して、更に風圧と流速を向上できる。
【００４３】
図４に示すように、前記第二渦巻舌部３１の根元Ｎから前記突起部１３１までの距離Ｄと前記送風口７３の幅Ｅとの比は１：（２〜２．５）である。
【００４４】
これにより、さらに風路７０の構造、風路７０内部の流れ環境を最適化することにより、送風口７３における気流の流速をより大きく、送風距離をより遠く、騒音をより低くする。
【００４５】
具体的に、前記第二渦巻舌部３１の根元Ｎから前記突起部１３１までの距離Ｄは１８ｍｍ〜３０ｍｍで、前記送風口７３の幅Ｅは３６ｍｍ〜７５ｍｍである。
【００４６】
図２、図３、図４及び図９に示すように、前記第一導風板１３の前記風路７０の外に位置する表面及び／又は前記第二導風板３３の前記風路７０の外に位置する表面にはワイヤクリップ１３５が設置されている。
【００４７】
本実施例では、第一導風板１３の風路７０の外に位置する表面には幾つかのワイヤクリップ１３５、第二導風板３３の風路７０の外に位置する表面にも幾つかのワイヤクリップ１３５が設置されている。このように、風路組立品１００の実際の応用過程において、ワイヤクリップ１３５は貫流ファン５０の駆動モータの電源ワイヤに対してロッキングして位置決めできる。そして、ワイヤクリップ１３５の規則正しい配置により、電源ワイヤの配線に対してガイドする作用があるので、電源ワイヤの配線をより合理的且つ規則正しくすることで、電源ワイヤがファンに触れることでファンの回動に悪影響をもたらすことを避ける。
【００４８】
図２、図３、図５から図８に示すように、前記渦巻形ケーシング１０は前記貫流ファン５０の軸線方向に沿って設置されている両端部を有し、両端部にはそれぞれ取付孔１５１が設置され、前記渦巻舌３０の対応する箇所には取付柱３５１が設置されて、前記取付柱３５１は前記取付孔１５１内に挿設されている。
【００４９】
本実施例では、渦巻形ケーシング１０の第一固定板１５には取付孔１５１が設けられ、それと対応するように、渦巻舌３０の第二固定板３５にはその対応する取付孔１５１に面する箇所に取付柱３５１が突出するように設置され、取付柱３５１は取付孔１５１内に挿設されて係着されていることにより、第二固定板３５と第一固定板１５との固定接続を実現して、さらには渦巻舌３０の渦巻形ケーシング１０への取付を完成させる。具体的に、各第一固定板１５上には隔てて設置されている幾つかの取付孔１５１が設けられ、対応する第二固定板３５上には隔てて設置されている幾つかの取付柱３５１が突出するように設置され、何れの取付柱３５１も一つの取付孔１５１内に挿設されて係着されることにより固定を実現して、渦巻舌３０の渦巻形ケーシング１０への取付の安定性を効果的に高める。このような取付方法は簡単で信頼できて、部品の加工と製造に便利なだけではなく、資源の消費とコストの投入を効果的に節約して、実用性がより高いことは、理解できるであろう。
【００５０】
各取付孔の形状と大きさも対応する取付孔と適合しているが、各取付柱同士は同じでも同じではなくてもよいことは、説明しておく必要がある。
【００５１】
本発明はさらに温風機（図示しない）を提案する。前記温風機は筐体（図示しない）と前記筐体内に設置されている風路組立品を含み、前記風路組立品は前述のような風路組立品１００である。本温風機は上記全ての実施例の全ての技術案を採用したので、少なくとも上記実施例の技術案がもたらす全ての有益効果を有し、ここでは逐一贅言しない。
【００５２】
さらに、図２、図３及び図９に示すように、前記風路組立品１００の渦巻形ケーシング１０及び／又は渦巻舌３０には位置決めタブ１３３が設けられ、前記位置決めタブ１３３には位置決め孔１３３１が設けられ、前記温風機の筐体には位置決め柱（図示しない）が設けられ、前記位置決め柱は前記位置決め孔１３３１内に挿設されている。
【００５３】
本実施例では、渦巻形ケーシング１０の第一導風板１３と渦巻舌３０の第二導風板３３上には何れも位置決めタブ１３３が設置され、その上の位置決め孔１３３１は風路組立品１００の取付時に温風機筐体の位置決め柱と仮取付工程を行うことに利用でき、後続の取付にとって位置決めとガイドの効力を発揮することで、風路組立品１００の温風機筐体への取付及び固定を便利にして、取付効率を向上させる。
【００５４】
さらに、図１から図３に示すように、前記風路組立品１００の渦巻形ケーシング１０には固定柱１５３が設けられ、前記固定柱１５３は前記温風機の筐体に向かって延設されて、前記温風機の筐体に固定して接続されている。
【００５５】
本実施例では、温風機の筐体と固定して接続されるために、渦巻形ケーシング１０の二つの第一固定板１５にはそれぞれ一つの固定柱１５３が設置されている。これにより風路組立品１００の取付安定性、構造信頼性を効果的に高めて、全体の振動を防ぎ、機器全体の作動を保障する。固定柱１５３と筐体との固定接続方法はねじ接続方法、スナップフィット方法、粘着剤接続方法、ピン接続方法、或いは他の合理的且つ有効な方法を採用できる。
【００５６】
以上に述べたことは本発明の好ましい実施例にすぎず、それによって本発明の特許の範囲を制限するわけではない。本発明の発明構想の下で、本発明の明細書及び添付図面の内容を利用してなされた等価構造変換、或いは他の関連する技術分野への直接／間接的な応用は、何れも本発明の特許の保護範囲に含まれる。
【符号の説明】
【００５７】
１００  風路組立品
１０  渦巻形ケーシング
１１  第一渦巻舌部
１３  第一導風板
１３１  突起部
１３３  位置決めタブ
１３３１  位置決め孔
１３５  ワイヤクリップ
１５  第一固定板
１５１  取付孔
１５３  固定柱
３０  渦巻舌
３１  第二渦巻舌部
３３  第二導風板
３５  第二固定板
３５１  取付柱
５０  貫流ファン
７０  風路
７１  吸気口
７３  送風口
【図１】
2020521936.tif 000003
【図２】
2020521936.tif 000004
【図３】
2020521936.tif 000005
【図４】
2020521936.tif 000006
【図５】
2020521936.tif 000007
【図６】
2020521936.tif 000008
【図７】
2020521936.tif 000009
【図８】
2020521936.tif 000010
【図９】
2020521936.tif 000011
【国際調査報告】
2020521936.tif 000012
2020521936.tif 000013
2020521936.tif 000014
2020521936.tif 000015
2020521936.tif 000016
2020521936.tif 000017